(57)【要約】【課題】広告主及びユニフォーム着用者の双方が、提携先となるべき互いの対面相手を選定するに際して、検討すべき要因を多面的かつ直接的に入手し得る広告方法を提供する。【解決の手段】広告が表示されたユニフォームを広告媒体とするに際して、ユニフォームの着用企業１と広告の広告主企業２とをインターネットでそれぞれ募り、着用者画面（図２、図３）に対して、自己及び自己の条件を登録するための複数の項目を、数値若しくは文字にて入力させ、登録済みの着用企業１及び広告主企業２のそれぞれが、互いの対面相手の入力項目を紹介し合えるようにした。【選択図】図１
2006235634.tif 000002
【特許請求の範囲】
【請求項１】
広告が表示された衣服を広告媒体とする広告方法において、
衣服の着用者と前記広告の広告主とをインターネットでそれぞれ募り、
該着用者及び該広告主の両者に、該インターネット上で表示される前記両者それぞれ用の登録専用画面に対して、自己及び自己の条件を登録するための複数の項目を、数値若しくは文字にて入力させ、
登録済みの前記両者のそれぞれが、互いの対面相手の入力項目を照会し合えるようにしたことを特徴とする、
衣服を媒体とした広告方法。
【請求項２】
前記着用者側が、自己の登録専用画面に対して、自己及び自己の条件を登録するために数値若しくは文字により入力する項目は、少なくとも、自己の名称と、属する業界名称と、所在地名称と、希望する広告品候補の種類と、店舗数と、１日あたりの平均店舗来客数と、１日あたりの平均営業時間と、総従業員数と、衣服着用者階層と、該階層の衣服着用者数と、単位期間あたりの採用予定デザイン数と、着用予定の衣服種類と、該衣服種類ごとの着用衣服数と、該衣服種類ごとの単価と、該衣服種類ごとの着用衣服への広告表示手段と、該衣服種類ごとの納入予定時期と、該衣服種類ごとの着用予定期間と、デザイン変更予定の有無と、デザイン提案希望の有無と、着用する衣服製品の供給者限定の可否とを含み、かつ、入力は無料にて行えることを特徴とする請求項１に記載の衣服を媒体とした広告方法。
【請求項３】
前記着用者側の入力項目のうち、該着用者の業界名称及び該業界ごとの着用者登録件数を示す第１表示画面と、着用者側の名称、所在地名称、店舗数及び総従業員数を示す第２表示画面とを、前記登録済みの広告主に対して、無料にて閲覧可能としたことを特徴とする請求項２に記載の衣服を媒体とした広告方法。
【請求項４】
前記着用者側の入力項目のうち、該着用者側の名称と、店舗数と、１日あたりの平均店舗来客数と、１日あたりの平均営業時間と、衣服着用者階層と、該階層の衣服着用者数と、該衣服着用者数から推定される１日あたりの平均着用者数と、単位期間あたりの採用予定デザイン数と、着用予定期間と、該着用期間と着用衣服総数とから算出される予想契約衣服数と、着用する衣服製品の供給者限定の可否とを表示すると共に、着用予定の衣服種類及び該衣服上の広告表示予定場所を組合せて模擬的に図示した第３表示画面を編集し、前記登録済みの広告主に対して、該第３表示画面を有料にて閲覧可能としたことを特徴とする請求項２または３に記載の衣服を媒体とした広告方法。
【請求項５】
前記着用予定期間及び前記予想契約衣服数をタイトル行とすると共に前記衣服上の広告表示予定場所をタイトル列とした行列表の各欄に、該欄に該当する広告表示予定場所及び前記着用予定期間に基づく広告表示場所使用料を表示する第４表示画面を編集し、該第４表示画面を閲覧した前記登録済みの広告主が、該行列表の各欄の空白部分に自己の名称と希望広告品名称とを入力することにより、衣服上の広告表示予定場所に対する広告表示予約を行うことを特徴とする請求項４に記載の衣服を媒体とした広告方法。
【請求項６】
前記予約した衣服上の広告表示予定場所に、前記広告主の希望広告を表示して、広告表示衣服を模擬表示する第５表示画面を、前記登録済みの広告主に対して閲覧可能とすることを特徴とする請求項５に記載の衣服を媒体とした広告方法。
【請求項７】
前記予約により契約成立した後の実際の着用期間において、前記着用者側の入力項目のうち、着用者側の名称と、店舗数と、一日あたりの平均営業時間と、着用者階層と、前記着用期間中の実際の着用者数と、実際の一日あたりの平均着用者数と、着用予定期間と、該着用予定期間と着用衣服総数とから算出される契約衣服数とを表示すると共に、前記広告主側の入力項目のうち、広告品名称を表示し、さらに、該広告品の着用期間と広告場所とに基づいて前記第４表示画面に表示した定価金額と、該広告場所と、実際の広告品販売数と、該広告品販売数に基づいて段階的に評価した広告効果とを表示し、また、着用期間中に撮影した実際の広告表示付き衣服の写真画像を表示すると共に、販売期間中の単位期間ごとの実際の広告品売上高をグラフ表示する第６表示画面を編集し、前記登録済みの広告主に対して閲覧可能とすることを特徴とする請求項５または６に記載の衣服を媒体とした広告方法。
【請求項８】
前記広告主側が、自己の登録専用画面に対して、自己及び自己の条件を登録するために数値若しくは文字により入力する項目は、少なくとも、自己の名称と、属する業界名称と、所在地名称と、希望広告品名称と、該広告品ごとの希望する広告表示の衣服種類と、該広告品ごとの希望広告予算額と、該広告品ごとの広告表示衣服の希望着用時期と、該広告品ごとの広告表示衣服の希望着用期間とを含み、かつ、入力は無料にて行えることを特徴とする衣服を媒体とした請求項１乃至７のいずれか１項に記載の広告方法。
【請求項９】
前記広告主側の入力項目のうち、該広告主の業界名称及び該業界ごとの広告主登録件数を示す第Ｉ表示画面と、広告主側の名称、所在地名称、広告品を示す第ＩＩ表示画面とを、前記登録済みの着用者に対して、無料にて閲覧可能としたことを特徴とする請求項８に記載の衣服を媒体とした広告方法。
【請求項１０】
前記広告主側の入力項目のうち、該広告主側の名称と、広告品と、該広告品の広告開始時期と、該広告品の想定購買階層と、該階層の客単価と、単位期間あたりの採用予定デザイン数と、着用予定期間と、該着用期間と着用衣服総数とから算出される予想契約衣服数と、を表示すると共に、着用予定の衣服種類及び該衣服上の広告表示予定場所を組合せて模擬的に図示した第ＩＩＩ表示画面を編集し、前記登録済みの着用者に対して、該第ＩＩＩ表示画面を有料にて閲覧可能としたことを特徴とする請求項９に記載の衣服を媒体とした広告方法。
【請求項１１】
前記着用予定期間及び前記予想契約衣服数をタイトル行とすると共に前記衣服上の広告表示予定場所をタイトル列とした行列表の各欄に、該欄に該当する広告及び前記着用予定期間に基づく広告ブランド使用料を表示する第ＩＶ表示画面を編集し、該第ＩＶ表示画面を閲覧した前記登録済みの着用者が、該行列表の各欄の空白部分に自己の名称と広告媒体衣服と広告表示予定場所とを入力することにより、該衣服上への広告表示に対する広告表示場所提供予約を行うことを特徴とする請求項８または１０に記載の衣服を媒体とした広告方法。
【請求項１２】
前記予約した衣服上への広告表示に、前記着用者の広告表示予定場所を提供して、広告表示衣服を模擬表示する第Ｖ表示画面を、前記登録済みの着用者に対して閲覧可能とすることを特徴とする請求項１１に記載の衣服を媒体とした広告方法。
【請求項１３】
前記予約により契約成立した後の実際の広告表示場所提供期間において、前記広告主側の入力項目のうち、広告主側の名称と、広告品と、該広告品の実際の購買階層と、該階層の実際の客単価と、着用期間中の実際の広告表示総数と、着用予定期間と、該着用予定期間と広告表示総数とから算出される契約広告数とを表示すると共に、前記着用者側の入力項目のうち、広告表示場所を表示し、さらに、該広告表示場所の提供期間と広告とに基づいて前記第ＩＶ表示画面に表示した広告ブランド使用料と、実際の広告品販売数と、該広告品販売数に基づいて段階的に評価した広告効果とを表示し、また、広告表示場所提供期間中に撮影した実際の広告表示付き衣服の写真画像を表示すると共に、販売期間中の単位期間ごとの実際の広告品売上高をグラフ表示する第ＶＩ表示画面を編集し、前記登録済みの着用者に対して閲覧可能とすることを特徴とする請求項１１または１２に記載の衣服を媒体とした広告方法。
【請求項１４】
前記互いの対面相手の入力項目の照会を行う方法として、前記広告主が閲覧可能な請求項４に記載の第３表示画面と、前記着用者が閲覧可能な請求項１０に記載の第ＩＩＩ表示画面との相互照会方式を用い、第３及び第ＩＩＩの両画面に表示された模擬的な広告表示付き衣服が合致したときに、前記広告主及び着用者の両者を互いに開示し合うことを特徴とする請求項１０に記載の衣服を媒体とした広告方法。
【請求項１５】
前記衣服上の広告表示は、紙媒体を着脱可能に装着した透明プレートホルダを衣服に取り付けることにより行うことを特徴とする請求項１乃至１４のいずれか１項に記載の衣服を媒体とした広告方法。
【発明の詳細な説明】
【技術分野】
【０００１】  本発明は、衣服を媒体とした広告方法に係り、特に、広告媒体としてユニフォームを用いた広告方法に関する。
【背景技術】
【０００２】  以前より衣服は有力な広告媒体の一つとして使用されている。特に、ユニフォームは、多数の着用者が同一デザインの衣服を身に着ける形態であり、大きな広告効果が得られるため、広告媒体として極めて有効である。【０００３】  ところで、一般に広告方法に関して、実際にその媒体を選定するのは、広告を行いたい広告主に近い関係にある広告代理店である。広告代理店は、広告主の意向に沿い得る広告媒体を提案し、これを原案にして広告が表示されたユニフォームなどの媒体が大量生産される。一方、これに対して、広告表示のユニフォームを着用する業界からの広告主募集のアプローチは少ない。そして、この結果、広告代理店から関係の遠い業界では、ユニフォームを着用する勤務形態があっても、これへ表示するものは、例えば、ユニフォームの一つの形態である事務制服に、自己の企業名を「○○株式会社」などとして表示する程度にとどまる。【０００４】  特許文献１におけるビジネスモデル実施者は、インターネットを用いることにより、従前通りにユニフォーム着用者を応募するだけでなく、広告主の募集も可能にした。これにより、着用者側からのアプローチを容易にした。
さらに、特許文献２によるものは、スポーツウェアやユニフォーム等を含む広告を付した物品の取得希望者に関して、その詳細情報の入力及び登録を行うための記憶手段と、広告掲載物の提供を希望する広告希望者に関して、その詳細情報の入力及び登録を行うための記憶手段とを、それぞれ具備し、これにより、物品取得希望者と広告希望者との間の仲介を行う。
【特許文献１】特開２００３−４９３０２号（第３頁、図１）
【特許文献２】特開２００４−１１８３５８号（第２４頁、図６）
【発明の開示】
【発明が解決しようとする課題】
【０００５】  しかしながら、上記特許文献１のものでは、広告主及びユニフォーム着用者双方の組み合わせにビジネスモデル実施者の意向が強く反映し、双方の意向が噛み合わないおそれがある。即ち、広告主側が金銭的条件に加えて着用者の業界内容を重視し、着用者側が金銭的条件に加えて広告主の信用力を重視する場合でも、ビジネスモデル実施者が金銭的整合のみを重視する選定を行うと、広告主と着用者との交渉の余地を閉ざすことになる。ビジネスモデル実施者の主観により、ビジネスチャンスの拡大が限定的なものに抑制されてしまう。
このようなビジネスモデル実施者（従来の広告代理店など）の介在による弊害を軽減するため、上記特許文献２のものは、仲介者たるサーバコンピュータ管理者の役割を、広告希望者からの広告掲載希望申し込み情報の物品取得者に対する伝達に留めている。これにより、上記広告代理店などの仲介から派生するコスト高の弊害を軽減し、したがって、仲介手数料を軽減することができて、広告費を安価にすることができる。
ところが、管理者による情報伝達が、広告希望者から物品取得希望者への一方向であり、これにより物品取得希望者が広告希望者を選定することに留まってしまうので、サーバコンピュータ介在の効果が限定的になる。これと反対に、物品取得希望者から広告希望者への情報伝達とし、広告希望者が物品取得希望者を選定する方式を採用することが考えられるが、特許文献２と同様の効果、即ち、広告代理店などの仲介を除去することによるコスト軽減に留まることは自明である。【０００６】  本発明は、上記問題点に鑑み、広告主及びユニフォーム着用者の双方が、提携先となるべき互いの対面相手を選定するに際して、検討すべき要因を多面的かつ直接的に入手し得る広告方法を提供することを課題とする。
【課題を解決するための手段】
【０００７】  上記課題を解決するため、本発明は、広告が表示された衣服を広告媒体とする広告方法において、衣服の着用者と広告の広告主とをインターネットでそれぞれ募り、これら着用者及び広告主の両者に、インターネット上で表示される両者それぞれ用の登録専用画面に対して、自己及び自己の条件を登録するための複数の項目を、数値若しくは文字にて入力させ、登録済みの両者のそれぞれが、互いの対面相手の入力項目を照会し合えるようにしたものである。【０００８】  これによれば、着用者及び広告主の両者がそれぞれ登録専用画面に入力した入力項目を選択的に別の画面に編集する一方で、入力を行った着用者及び広告主を登録させ、登録済みの互いの対面相手に対して編集画面を照会可能あるいは閲覧可能とする。したがって、登録済みの着用者及び広告主の両者は、互いの対面相手が入力した複数の入力項目を直接的に閲覧でき、また、この入力項目をもとに対面相手が提携先になり得るか否かを多面的に検討することができる。【０００９】  この場合、着用者側が、自己の登録専用画面に対して、自己及び自己の条件を登録するために数値若しくは文字により入力する項目は、少なくとも、自己の名称と、属する業界名称と、所在地名称と、希望する広告品候補の種類と、店舗数と、１日あたりの平均店舗来客数と、１日あたりの平均営業時間と、総従業員数と、衣服着用者階層と、この階層に属する衣服着用者数と、単位期間あたりの採用予定デザイン数と、着用予定の衣服種類と、この衣服種類ごとの着用衣服数と、その衣服種類ごとの単価と、その衣服種類ごとの着用衣服への広告表示手段と、その衣服種類ごとの納入予定時期と、その衣服種類ごとの着用予定期間と、デザイン変更予定の有無と、デザイン提案希望の有無と、着用する衣服製品の供給者限定の可否とを含むものであることが望ましい。また、その入力は無料で行える。【００１０】  このように無料の入力とすることで、インターネットの閲覧者に含まれる着用予定者が気軽に入力を行える。また、入力項目が多数に亘ることにより、相手側の広告主に対して、多岐に亘る検討要因を提供できる。【００１１】  さらに、着用者側の入力項目のうち、この着用者の業界名称及び業界ごとの着用者登録件数を示す第１表示画面と、着用者側の名称、所在地名称、店舗数及び総従業員数を示す第２表示画面とを、前記登録済みの広告主に対して、無料にて閲覧可能とする。【００１２】  即ち、第１及び第２の両表示画面は、着用者及び広告主の両者がそれぞれの登録専用画面に入力した項目のうち、その概略を示すものであり、インターネットのホームページ上で閲覧する互いの対面相手候補、即ち、着用者にとっての広告主候補、若しくは、広告主にとっての着用者候補が、気軽に両画面を見ることができる。そして、多くの広告主候補及び着用者候補が本発明広告方法に関心を示し登録に至ることが予想される。【００１３】  そして、先の着用者側の入力項目のうち、この着用者側の名称と、店舗数と、１日あたりの平均店舗来客数と、１日あたりの平均営業時間と、衣服着用者階層と、この階層に属する衣服着用者数と、この衣服着用者数から推定される１日あたりの平均着用者数と、単位期間あたりの採用予定デザイン数���、着用予定期間と、この着用期間と着用衣服総数とから算出される予想契約衣服数と、着用する衣服製品の供給者限定の可否とを表示すると共に、着用予定の衣服種類及びこの衣服上の広告予定場所を組合せて模擬的に図示した第３表示画面を編集し、登録済みの広告主に対して、この第３表示画面を有料にて閲覧可能とする。【００１４】  これによれば、登録済みの広告主は、着用者側の詳細な業務形態を把握でき、また、広告予定場所を表示した衣服のイメージを視覚的なシミュレーションとして認識できる。そして、これらを、さらなる検討に役立てることができる。なお、第３表示画面の項目表示は、詳細に亘り相対的に価値が高いものであるため、閲覧者、即ち、広告主に対して有料閲覧とする。【００１５】  さらに、着用予定期間及び予想契約衣服数をタイトル行とすると共に衣服上の広告予定場所をタイトル列とした行列表の各欄に、これら各欄に該当する広告予定場所及び着用予定期間に基づく広告表示場所使用料を表示する第４表示画面を編集し、この第４表示画面を閲覧した登録済みの広告主が、行列表の各欄の空白部分に自己の名称と希望広告品名称とを入力することにより、衣服上の広告予定場所に対する広告表示予約を行う。【００１６】  これによれば、着用予定期間及び予想契約衣服数と広告予定場所とが行列表形式に示され、また、各欄に広告表示場所使用料を示すことにより、第４表示画面を閲覧する広告主が、これらの項目要素を視覚的に容易に認識できる。そして、広告主欄が空白であることは、これに該当する着用予定期間及び予想契約衣服数と広告予定場所とが予約可能であることを示す。したがって、行列表の各欄の空白部分に自己の名称と希望広告品名称とを入力することにより、衣服上の広告予定場所に対する広告表示予約を行うことができる。予約により広告主及び着用者間で契約が成立したと見なすことができる。【００１７】  次に、予約した衣服上の広告予定場所に、広告主の希望広告を表示して、広告表示衣服を模擬表示する第５表示画面を、登録済みの広告主に対して閲覧可能とする。広告主は、第５表示画面により、希望広告品の広告表示付きの衣服の着用イメージを視覚的にシミュレーションすることができる。【００１８】  さらに、先の予約により契約成立した後の実際の着用期間中において、着用者側の入力項目のうち、着用者側の名称と、店舗数と、一日あたりの平均営業時間と、着用者階層と、この着用期間中の実際の着用者数と、実際の一日あたりの平均着用者数と、着用予定期間と、この着用予定期間と着用衣服総数とから算出される契約衣服数とを表示すると共に、広告主側の入力項目のうち、広告品名称を表示し、さらに、広告品の着用期間と広告場所とに基づいて第４表示画面に表示した広告表示場所使用料と、その広告場所と、実際の広告品販売数と、この広告品販売数に基づいて段階的に評価した広告効果とを表示し、また、着用期間中に撮影した実際の広告表示付き衣服の写真画像を表示すると共に、販売期間中の単位期間ごとの実際の広告品売上高をグラフ表示する第６表示画面を編集し、登録済みの広告主に対して閲覧可能とする。【００１９】  広告主は、第６表示画面の広告表示付き衣服の写真画像により、広告活動の実際���容易に想像することができる。また、表示される広告表示場所使用料（広告投資金額）及び広告効果評価により広告活動が投資的に見合っているかを容易に判断できる。さらに、販売期間中の単位期間ごとの実際の広告品売上高を示すグラフ表示により、広告効果の推移をリアルタイムで判断することができる。【００２０】  一方、広告主側が、自己の登録専用画面に対して、自己及び自己の条件を登録するために数値若しくは文字により入力する項目は、少なくとも、自己の名称と、属する業界名称と、所在地名称と、希望広告品名称と、この広告品ごとの希望する広告表示の衣服種類と、その広告品ごとの希望広告予算額と、その広告品ごとの広告表示衣服の希望着用時期と、その広告品ごとの広告表示衣服の希望着用期間とを含むことが望ましい。また、その入力は無料で行える。【００２１】  同様に、無料の入力とすることで、インターネットの閲覧者に含まれる広告主予定者が気軽に入力を行える。また、入力項目が多数に亘ることにより、相手側の着用者に対して、多岐に亘る検討要因を提供できる。【００２２】  さらに、広告主側の入力項目のうち、この広告主の業界名称及び業界ごとの広告主登録件数を示す第Ｉ表示画面と、広告主側の名称、所在地名称、広告品を示す第ＩＩ表示画面とを、前記登録済みの着用者に対して、無料にて閲覧可能とする。【００２３】  即ち、第Ｉ及び第ＩＩの両表示画面は、広告主及び着用者の両者がそれぞれの登録専用画面に入力した項目のうち、その概略を示すものであり、インターネットのホームページ上で閲覧する互いの対面相手候補、即ち、広告主にとっての着用者候補、若しくは、着用者にとっての広告主候補が、気軽に両画面を見ることができる。そして、多くの着用者候補及び広告主候補が本発明広告方法に関心を示し登録に至ることが予想される。【００２４】  そして、先の広告主側の入力項目のうち、この広告主側の名称と、広告品と、この広告品の広告開始時期と、広告品の想定購買階層と、この階層の客単価と、単位期間あたりの採用予定デザイン数と、着用予定期間と、この着用期間と着用衣服総数とから算出される予想契約衣服数とを表示すると共に、着用予定の衣服種類及びこの衣服上の広告表示予定場所を組合せて模擬的に図示した第ＩＩＩ表示画面を編集し、登録済みの着用者に対して、この第ＩＩＩ表示画面を有料にて閲覧可能とする。【００２５】  これによれば、登録済みの着用者は、広告主側の詳細な広告形態を把握でき、また、広告予定場所を表示した衣服のイメージを視覚的なシミュレーションとして認識できる。そして、これらを、さらなる検討に役立てることができる。なお、第ＩＩＩ表示画面の項目表示は、詳細に亘り相対的に価値が高いものであるため、閲覧者、即ち、着用者に対して有料閲覧とする。【００２６】  さらに、着用予定期間及び予想契約衣服数をタイトル行とすると共に衣服上の広告表示予定場所をタイトル列とした行列表の各欄に、これら各欄に該当する広告及び着用予定期間に基づく広告ブランド使用料を表示する第ＩＶ表示画面を編集し、この第ＩＶ表示画面を閲覧した登録済みの着用者が、行列表の各欄の空白部分に自己の名称と広告媒体衣服と広告表示予定場所とを入力することにより、��服上への広告表示に対する広告表示場所提供予約を行う。【００２７】  これによれば、着用予定期間及び予想契約衣服数と広告表示予定場所とが行列表形式に示され、また、各欄に広告ブランド使用料を示すことにより、第ＩＶ表示画面を閲覧する着用者が、これらの項目要素を視覚的に容易に認識できる。そして、着用者欄が空白であることは、これに該当する着用予定期間及び予想契約衣服数と広告表示予定場所とが予約可能であることを示す。したがって、行列表の各欄の空白部分に自己の名称と広告媒体衣服と広告表示予定場所とを入力することにより、衣服上の広告表示予定場所に対する広告表示場所提供予約を行うことができる。予約により着用者及び広告主間で契約が成立したと見なすことができる。【００２８】  次に、予約した衣服上への広告表示に、着用者の広告表示予定場所を提供して、広告表示衣服を模擬表示する第Ｖ表示画面を、登録済みの着用者に対して閲覧可能とする。着用者は、第Ｖ表示画面により、希望広告表示予定場所に対して広告表示を行った衣服の着用イメージを視覚的にシミュレーションすることができる。【００２９】  さらに、予約により契約成立した後の実際の広告表示場所提供期間において、広告主側の入力項目のうち、広告主側の名称と、広告品と、広告品の実際の購買階層と、この階層の実際の客単価と、着用期間中の実際の広告表示総数と、着用予定期間と、この着用予定期間と広告表示総数とから算出される契約広告数とを表示すると共に、着用者側の入力項目のうち、広告表示場所を表示し、さらに、広告表示場所の提供期間と広告とに基づいて第ＩＶ表示画面に表示した広告ブランド使用料と、実際の広告品販売数と、広告品販売数に基づいて段階的に評価した広告効果とを表示し、また、広告表示場所提供期間中に撮影した実際の広告表示付き衣服の写真画像を表示すると共に、販売期間中の単位期間ごとの実際の広告品売上高をグラフ表示する第ＶＩ表示画面を編集し、登録済みの着用者に対して閲覧可能とする。【００３０】  着用者は、第ＶＩ表示画面の広告表示付き衣服の写真画像により、広告表示場所提供の実際を容易に想像することができる。また、表示される広告ブランド使用料（広告投資金額）及び広告効果評価により広告場所提供が投資的に見合っているかを容易に判断できる。さらに、販売期間中の単位期間ごとの実際の広告品売上高を示すグラフ表示により、広告効果の推移をリアルタイムで判断することができる。【００３１】  ところで、広告主が閲覧可能な第３表示画面と、着用者が閲覧可能な第ＩＩＩ表示画面とを互いに照会し、第３及び第ＩＩＩの両画面に表示された模擬的な広告表示付き衣服が合致したときに、広告主及び着用者の両者を互いに開示し合うようにした。【００３２】  これにより、広告主及び着用者の両者が、広告付き衣服を模擬的に表示した段階で、相手側、即ち、広告主にとっての着用者、若しくは、着用者にとっての広告主の需要の有無を早期に知得することができ、広告主及び着用者の両者間で行われる契約の早期促進に役立つ。
また互いに相容れないスポンサー同士が同一の広告場所に提供できないシステムを組み込むことはいうまでもない。【００３３】  一方、一般に、衣服への広告表示は、刺繍、プリント、織りマークなどで行うが、紙媒体を着脱可能に装着した透明プレートホルダを衣服に取り付けることにより行うものでも良い。ネームプレートホルダなどの透明プレートホルダは、広告を表示した紙媒体をホルダに着脱するだけで、広告の取り付け及び取り外しが行え、また、衣服には安全ピンで装着できるので、上記一般の方法によるよりも簡便である。
【発明の効果】
【００３４】  本発明は、着用者及び広告主の両者にそれぞれ登録専用画面に必要項目を入力させ、登録済みの互いの対面相手に対して編集画面を閲覧可能とするものであるため、着用者及び広告主の両者は、互いの対面相手が入力した複数の入力項目を直接的に閲覧でき、また、この入力項目をもとに対面相手が提携先になり得るか否かを多面的に検討することができる。そして、インターネットを介した双方向形式で、互いの提携相手先を選別できるため、両者間に介在する第３者の主観を排除できるため、直接的かつ多面的な検討が可能となる。
【発明を実施するための最良の形態】
【００３５】  図１は、本発明の広告方法を概念的に示す略図である。ユニフォーム着用者企業のパソコン１と広告主企業のパソコン２とを、インターネットに接続可能に設置し、同様に、本発明を実施するビジネスソフトを搭載したパソコン３もインターネットに接続可能に設置される。パソコン１、パソコン２及びパソコン３は、パソコン３側のサーバ４を介してインターネット上で情報の授受が可能な環境に設定されている。本発明により衣服を媒体とした広告方法を行うには、このように広告主、着用者、及び、本発明の実施者がインターネット環境により接続されることが前提となるが、インターネットだけではコミュニケーションが不足する場合には、必要に応じて本発明実施者のパソコン３側の人員が、着用者企業や広告主企業に実際に訪問することも考慮すべきである（図１の点線部分参照）。【００３６】  本発明による広告方法の目的は、着用者企業で着用するユニフォームに広告主企業の広告を表示するに際して、広告主企業及び着用者企業の双方が、提携先となるべき互いの対面相手を選定するために検討すべき要因を多面的かつ直接的に入手し得ることである。このため、まず、着用者企業には、インターネットを介して、本発明実施者のウェブページにアクセスさせ、このページ内のクライアント（着用者）登録専用ページ（図２参照）に必要事項を記入させる。同様に、広告主企業には、インターネット上で、スポンサー（広告主）登録専用ページ（図３参照）に必要事項を記入させる。【００３７】  なお、クライアント登録専用ページ及びスポンサー登録専用ページは、これらへの閲覧及び入力を無料で行えるようにする。これは、広告主及び着用者が幅広い選択肢を得るためには、着用者及び広告主の両者を多数集めて集積することが必要であり、着用者候補や広告主候補の事業者が気軽にアクセスできるようにするためである。【００３８】  図２に示すクライアント登録専用ページの詳細を説明する。着用者が入力する項目は、自社名５、自社の所属する業界名６、その所在地７、ユニフォームへの表示を希望する広告品候補８、所有する店舗数９、店舗への１日あたりの平均来客数１０、１日あたりの平均営業時間１１、総従業員数１２、ユニフォームの着用者階層１３、この階層１３のユニフォーム着用者数１４、着用を希望する着用アイテム（ユニフォーム種類）１５、このアイテムごとのユニフォーム枚数１６、アイテムごとのユニフォーム単価１７、アイテムごとの広告表示手段（刺繍またはプリント）１８、アイテムごとの納入予定時期１９、アイテムごとの着用予定期間２０、アイテムごとの単位期間あたりの採用予定デザイン数２１、デザイン変更予定の有無２２、デザイン提案希望の有無２３、着用するユニフォーム供給者限定の可否（採用条件）２４などである。これらの記入は、文字または数値による入力であるが、より気軽に使用できるように、複数の選択肢から選べる形式にしても良い。（図２中の着用アイテム１５など参照。）【００３９】  一方、図９に示すスポンサー登録専用ページでは、広告主が入力する項目は、自社名２５、自社の所属する業界名２６、その所在地２７、希望広告品名２８、広告品ごとの希望する広告表示の着用アイテム（ユニフォー��種類  ）２９、広告品ごとの広告予算額３０、広告品ごとの広告表示ユニフォームの希望着用月（希望着用時期）３１、広告品ごとの広告表示ユニフォームの広告契約期間（希望着用期間）３２などである。クライアント登録専用ページの場合と同様に、項目への入力に際しては、複数の選択肢から選べる形式にしても良い。（図３中の広告契約期間３２を参照。）【００４０】  これらクライアント登録専用ページ及びスポンサー登録専用ページの入力項目への入力が済むと、着用者候補及び広告主候補の事業者は、会員登録され、その後に展開される画面へ進むことができる。【００４１】  図３及び図４は、広告主側が閲覧できる、登録済み着用者の概要を示す第１表示画面と第２表示画面である。【００４２】  図９のスポンサー登録専用ページへの入力を行った広告主候補には、登録会員番号３２ａやパスワード３２ｂが与えられ、図３に示す第１表示画面を閲覧することができる。第１表示画面では、着用者側の入力項目のうち、着用者の業界名３４及び業界ごとの着用者登録件数３５などが示される。そして、第１表示画面の例えば、左上の「ドラッグストア  ２３件」３６の部分をクリックすると、図５に示す第２表示画面が示される。第２表示画面では、着用者側の入力項目のうち、着用者側の社名３７及び社名ロゴ３８、所在地名３９、店舗数４０及び総従業員数４１や各企業の売上高４２などが示される。また、本形態では、該当する業界（本形態ではドラッグストア業界にて例示）の情報４２′を記載しているが、これらも広告主側の検討要因として有用である。【００４３】  図３及び図４の第１及び第２の両表示画面により、広告主候補は、登録済みの着用者側の概略情報を得ることができる。【００４４】  なお、第１及び第２の両表示画面に示される情報は、着用者及び広告主の両者がそれぞれの登録専用画面に入力した項目のうち、その概略を示すという位置付けであり、このため、登録済みの広告主候補に対して無料にて閲覧可能とする。このようにすることで、広告主候補は、着用者に関する概略情報を気軽に見ることができる。これも、広告主候補の登録数拡大に役立つものと考えられる。【００４５】  第２表示画面中の社名３７若しくは社名ロゴ３８をクリックすると、図５に示す第３表示画面に切り替わる。【００４６】  図５に示す第３表示画面では、着用者側の入力項目のうち、社名４３、店舗数４４、店舗への１日あたりの平均来客数４５、１日あたりの平均営業時間４６、ユニフォーム着用者階層４７、この階層でのユニフォーム着用者数４８、ユニフォーム着用者数４８から推定される１日あたりの平均着用者数４９、単位期間あたりの採用予定デザイン数５０、着用予定期間５１、着用期間５１及び着用ユニフォーム数４８とから算出される予想契約衣服数５２、着用するユニフォーム製品の供給者限定の可否５３などを表示すると共に、着用予定のユニフォーム種類５３（本形態では、ポロシャツ５３ａとエプロン５３ｂ）及びユニフォーム上の広告予定場所５４（本形態では、ポロシャツ左右両袖部分とエプロン上中下各段部分）を組合せて模擬的に図示したものを表示する。本形態では、ドラッグストア業界に属するｘ社の社名ロゴＸが、ポロシャツ５３ａの左胸部付��、及び、エプロン５３ｂの最上端部に表示されたものがユニフォームの原形となる。【００４７】  この第３表示画面により、登録済みの広告主候補は、着用者側の詳細な業務形態を把握でき、また、広告予定場所を表示したユニフォームのイメージを視覚的なシミュレーションとして認識できる。そして、これらを、さらなる検討に役立てることができる。なお、この第３表示画面以降により得られるのは、詳細情報及び加工情報であるため、広告主候補に対してこれらの閲覧を有料とする。【００４８】  また、第３表示画面の左下部分に示した期間別売上高グラフ５５は、該当する着用者の店舗別若しくは商品別の販売動向資料であり、広告主候補の着用者選別のための参考資料として用いられる。【００４９】  図６に示す第４表示画面は、第３表示画面で示したユニフォームイメージの広告場所の予約状況を示す。第４表示画面は、着用予定期間５６及び予想契約ユニフォーム数５７をタイトル行とすると共にユニフォーム５８（エプロン５８ａ及びポロシャツ５８ｂ）上の広告予定場所５９をタイトル列とした行列表形式で表示され、この行列表の各欄には、広告予定場所５９及び着用予定期間５６に基づいて広告表示場所使用料６０が示される。また、広告主６１及び広告品６２や広告表示手段６３が記載されて、すべてのカラムが記載済みとなった欄は既に該広告主６１による予約が入っていることを示す。【００５０】  一方、空白のままの広告主欄６１′は、これに該当する着用予定期間５６及び予想契約ユニフォーム数５７と広告予定場所５９とが予約可能であることを示す。したがって、行列表で空白の広告主欄６１′及び広告品欄６２′に広告主候補が自己の社名と希望広告品名とを入力することにより、ユニフォーム５８上の広告予定場所５９に対する広告表示予約を行うことができる。そして、この予約により広告主及び着用者間で契約が成立したと見なす。【００５１】  さらに、図７に示す第５表示画面は、第４表示画面で予約した広告場所への広告品表示付きのユニフォームの着用イメージを示す。即ち、予約した広告場所６４に、広告主の希望広告品６５を表示して、広告表示ユニフォーム６６を模擬表示するものである。広告主は、第５表示画面により、希望広告品６５の表示付きユニフォームの着用イメージを視覚的にシミュレーションすることができる。【００５２】  次の図９に示す第６表示画面は、広告表示付きユニフォームによる広告活動の実際の状況をフィードバックするものである。即ち、第６表示画面には、契約成立後の実際の着用期間における特定時期６７に、着用者側の入力項目のうち、着用者側の社名６８、店舗数６９、一日あたりの平均営業時間７０、着用者階層７１、着用期間中の実際の着用者数７２、実際の一日あたりの平均着用者数７３、着用予定期間７４、着用予定期間７４と着用衣服総数とから算出される契約衣服数７５とを表示すると共に、広告主側の入力項目のうち、広告品名７６を表示し、さらに、広告品の着用期間（広告契約期間）７７と広告場所７８とに基づいて第４表示画面に表示した広告表示場所使用料７９、広告場所７８、実際の広告品販売数８０、広告品販売数８０に基づいて段階的に評価した広告効果８１を表示する。また、着用期��中に撮影した実際の広告表示付き衣服の写真画像８２を表示すると共に、販売期間中の単位期間ごとの実際の広告品売上高８３をグラフ表示する。これを閲覧した広告主は、広告活動の実際の状況を容易に把握することができる。また、表示される広告表示場所使用料（広告投資金額）７９及び広告効果評価８１により広告活動の費用対効果が見合っているかを容易に判断できる。さらに、販売期間中における単位期間ごとの実際の広告品売上高を示すグラフ表示８３により、広告効果の推移をリアルタイムで判断することができる。【００５３】  図１０及び１１は、着用者側が閲覧できる、登録済み広告主の概要を示す第Ｉ表示画面と第ＩＩ表示画面である。【００５４】  図２のクライアント（着用者）登録専用ページへの入力を行った着用者候補には、登録会員番号８７やパスワード８８が与えられ、図１０に示す第Ｉ表示画面を閲覧することができる。第Ｉ表示画面では、広告主側の入力項目のうち、広告主の業界名８９及び業界ごとの広告主登録件数９０などが示される。そして、第Ｉ表示画面の例えば、左上の「自動車関連  １１２件」８６の部分をクリックすると、図１１に示す第ＩＩ表示画面が示される。第ＩＩ表示画面では、広告主側の入力項目のうち、広告主側の社名９３及び社名ロゴ９４、使用条件９５、広告商品名９６及び広告商品ロゴ９７、広告商品の使用条件９８や広告主の所在地名９９、広告主企業の売上高１００などが示される。また、本形態では、該当する業界（本形態では自動車関連業界にて例示）の情報１００′を記載しているが、これらも着用者側の検討要因として有用である。【００５５】  図１０及び図１１の第Ｉ及び第ＩＩの両表示画面により、着用者候補は、登録済みの広告主側の概略情報を得ることができる。【００５６】  なお、第Ｉ及び第ＩＩの両表示画面に示される情報は、広告主及び着用者の両者がそれぞれの登録専用画面に入力した項目のうち、その概略を示すという位置付けであり、このため、登録済みの着用者候補に対して無料にて閲覧可能とする。このようにすることで、着用者候補は、広告主に関する概略情報を気軽に見ることができる。これも、着用者候補の登録数拡大に役立つものと考えられる。【００５７】  第ＩＩ表示画面中の社名９３若しくは社名ロゴ９４をクリックすると、図１２に示す第ＩＩＩ表示画面に切り替わる。【００５８】  図１２に示す第ＩＩＩ表示画面では、広告主側の入力項目のうち、社名１０１、広告商品名１０２、広告商品の購買者階層１０３、この階層１０３の平均客単価１０４、この広告商品のロゴ１０５ａ、この商品の広告の開始時期１０５ｂ、この広告商品を広告するにふさわしい希望着用業界１０６、また着用者が入力するにあたりあらかじめ着用者登録した図２の情報である着用予定期間１０７、ユニフォームのデザイン数１０８、着用期間１０９、期間契約枚数１１０、などを表示すると共に、着用予定のユニフォーム種類１１２（本形態では、ポロシャツ１１２ａとエプロン１１２ｂ）及びユニフォーム上の広告予定場所１１３（本形態では、ポロシャツ左右両袖部分とエプロン上中下各段部分）を組合せて模擬的に図示したものを表示する。本形態では、ドラッグストア業界に属するｘ社の社名ロゴＸが、ポロシャツ１１２ａの左胸部付近、及び、エプロン１１２ｂの最上端部に表示されたものがユニフォームの原形となる。【００５９】  この第ＩＩＩ表示画面により、登録済みの着用者候補は、広告主側の詳細な広告形態を把握でき、また、広告予定場所を表示したユニフォームのイメージを視覚的なシミュレーションとして認識できる。そして、これらを、さらなる検討に役立てることができる。なお、この第ＩＩＩ表示画面以降により得られるのは、詳細情報及び加工情報であるため、着用者候補に対してこれらの閲覧を有料とする。【００６０】  また、第ＩＩＩ表示画面の左下部分に示した期間別売上高グラフ１１４は、該当する広告主の企業資料別若しくは広告商品の販売動向資料であり、着用者候補の広告主及び広告商品選別のための参考資料として用いられる。【００６１】  図１３に示す第ＩＶ表示画面は、第ＩＩＩ表示画面で示したユニフォームイメージの広告場所の予約状況を示す。第ＩＶ表示画面は、広告場所提供期間１１７及び予想契約ユニフォーム数１１６、ユニフォームのアイテム１２０上の広告予定場所１２１、広告予定場所１２１及び着用予定期間１１７に基づいて広告ブランド使用料１１８が示される。また、着用者企業（広告場所提供企業）１１９及び衣服種類１２０が記載されて、すべてのカラムが記載済みとなった欄は既に該着用者１１９による予約が入っていることを示す。【００６２】  一方、空白のままの着用者欄１２２は、これに該当する広告場所提供期間１１７及び予想契約ユニフォーム数１１６と広告予定場所１２０とが予約可能であることを示す。したがって、行列表で空白の着用者欄１２０及び衣服種類欄１２３に着用者候補が自己の社名と希望広告表示場所とを入力することにより、ユニフォーム１１５上に対する広告場所提供予約を行うことができる。そして、この予約により着用者及び広告主間で契約が成立したと見なす。【００６３】  さらに、図１４に示す第Ｖ表示画面は、第ＩＶ表示画面で予約した広告品表示付きのユニフォームの着用イメージを示す。即ち、予約した衣服上への広告表示に着用者の広告表示場所を予定して１２５に、広告主の希望広告品１２６を表示して、広告表示ユニフォーム予約広告品１２３を模擬表示するものである。着用者は、第Ｖ表示画面により、希望広告品１２６の表示付きユニフォームの着用イメージを視覚的にシミュレーションすることができる。【００６４】  次の図１５に示す第ＶＩ表示画面は、広告表示付きユニフォームによる広告表示場所提供活動の実際の状況をフィードバックするものである。即ち、第ＶＩ表示画面には、契約成立後の実際の広告表示場所提供期間における特定時期１２７に、広告主側の入力項目のうち、着用者側の社名１２７、広告主側の社名１２８、広告品１２９、平均客単価１３０、広告品の購買者階層１３１、広告品の購買男女比１３２、を表示すると共に、着用者側の入力項目のうち、広告表示場所１３４を表示し、さらに、広告表示場所の提供期間１３３と広告品１２９、とに基づいて第ＩＶ表示画面に表示した広告ブランド使用料１３５、実際の広告品販売数１３６に基づいて段階的に評価した広告効果１３７を表示する。また、着用期間中に撮影した実際の広告表示付き衣服の写真画像１３２’を表示すると共に、販売期間中の単位期間ごとの実際の広告品売上高１３８をグラフ表示する。これを閲覧した着用者は、広告表示場所提供の実際の状況を容易に把握することができる。また、表示される広告ブランド使用料（広告投資金額）１３５及び広告効果評価１３７により広告提供場所活動の費用対効果が見合っているかを容易に判断できる。さらに、販売期間中における単位期間ごとの実際の広告品売上高を示すグラフ表示１３８により、広告効果の推移をリアルタイムで判断することができる。【００６５】  以上は図２から図８にわたり広告主企業により着用者企業を選別する過程を説明し、また図９から図１６にわたり着用者企業により広告主企業を選別する過程を説明したが、更にこの二つの過程を融合させて双方向に交流する過程を構築することができる。すなわち、図１６を参照して、広告主が閲覧可能な第３表示画面（図５参照）と、着用者が閲覧可能な第ＩＩＩ表示画面（図１２参照）とを互いに照会し、第３及び第ＩＩＩの両画面に表示された模擬的な広告表示付き衣服１４０、及び広告表示付き衣服１４１の両方が合致したときに、広告主１４２及び着用者１４３の両者を互いに開示し合うようにした。【００６６】  これにより、広告主１４２及び着用者１４３の両者が、広告付き衣服１４０、１４１を模擬的に表示した段階で、相手側、即ち、広告主１４２にとっての着用者１４３、若しくは、着用者１４３にとっての広告主１４２のニーズの有無を早期に知得することができ、広告主１４２及び着用者１４３の両者間で、その後に行われるはずの契約成立までに要する時間を大幅に短縮することができる。
尚、広告表示付き衣服が合致するとは衣服上に表示される複数の広告全てが合致することが理想であるが、必要に応じて広告の一部が合致する程度に留めてもよい。
また互いに相容れないスポンサー同士が同一の広告場所に提供できないシステムを組み込むことも考えられる。【００６７】  なお、本形態では、広告表示手段を、刺繍、プリント及び織りマークによるものとしたが、本発明はこれに限定されるものではなく、例えば、図１７に示すように、ネームプレートホルダ形式の透明窓付きポケットホルダ８４を用いても良い。ポケットホルダ８４に広告を表示した紙媒体８５を出し入れ自在にするものであるため、紙媒体８５をホルダに着脱するだけで、広告の取り付け及び取り外しが行えるという利点がある。また、紙媒体８５の取り付け及び取り外しできるだけでなく、ホルダ８４は衣服に安全ピン８６により装着されるので、ホルダ８４自体も簡単に取り付け及び取り外しができる。【００６８】  また、本形態では、広告媒体としてユニフォームなどの衣服を用いたが、それ以外にも、ヘルメット、眼鏡、マスク、ポンチョ、手袋、看板、ネクタイ、靴など、装身具であればいずれにも適用できる。【００６９】  図１０及び図１１は、着用者側が閲覧できる、登録済み広告主の概要を示す第Ｉ表示画面と第ＩＩ表示画面である。
【産業上の利用可能性】
【００７０】  図１６に示す第ＶＩＩ画面の本発明は、ＩＴ化による双方向情報伝達を利用した新しい広告方法として活用可能である。【００７１】  本発明は、ＩＴ化による双方向情報伝達を利用した新しい広告方法として活用可能である。
【図面の簡単な説明】
【００７２】
【図１】広告主及び着用者の両者の双方向表示を可能にする本発明広告方法の概念図
【図２】着用者登録専用画面を示す概略図
【図３】第１表示画面を示す概略図
【図４】第２表示画面を示す概略図
【図５】第３表示画面を示す概略図
【図６】第４表示画面を示す概略図
【図７】第５表示画面を示す概略図
【図８】第６表示画面を示す概念図
【図９】広告主登録専用画面を示す概略図
【図１０】第Ｉ表示画面を示す概略図
【図１１】第ＩＩ表示画面を示す概略図
【図１２】第ＩＩＩ表示画面を示す概略図
【図１３】第ＩＶ表示画面を示す概略図
【図１４】第Ｖ表示画面を示す概略図
【図１５】第ＶＩ表示画面を示す概略図
【図１６】第ＶＩＩ表示画面を示す概略図
【図１７】別の広告表示形態を示す概略図
【符号の説明】
【００５８】１                ユニフォーム着用者企業
２                広告主企業
４                インターネット環境下のサーバ
５〜２４          着用者企業の入力項目
３２〜３６        第１表示画面の表示項目
３７〜４２        第２表示画面の表示項目
４３〜５５        第３表示画面の表示項目
５６〜６３        第４表示画面の表示項目
６４〜６６        第５表示画面の表示項目
６７〜８３        第６表示画面の表示項目
２５〜３１        広告主企業の入力項目
８７〜９０        第Ｉ表示画面の表示項目
９１〜１００’    ＩＩ表示画面の表示項目
１０１〜１１２ｂ  第ＩＩＩ表示画面の表示項目
１１３〜１２２’  第ＩＶ表示画面の表示項目
１２３〜１２６    第Ｖ表示画面の表示項目
１２７〜１３８    第ＶＩ表示画面の表示項目
１３９            第ＶＩＩ表示画面の表示項目
８４              透明窓付きポケットホルダ
８５              広告表示付き紙媒体
８６              安全ピン
【図１】
2006235634.tif 000003
【図２】
2006235634.tif 000004
【図３】
2006235634.tif 000005
【図４】
2006235634.tif 000006
【図５】
2006235634.tif 000007
【図６】
2006235634.tif 000008
【図７】
2006235634.tif 000009
【図８】
2006235634.tif 000010
【図９】
2006235634.tif 000011
【図１０】
2006235634.tif 000012
【図１１】
2006235634.tif 000013
【図１２】
2006235634.tif 000014
【図１３】
2006235634.tif 000015
【図１４】
2006235634.tif 000016
【図１５】
2006235634.tif 000017
【図１６】
2006235634.tif 000018
【図１７】
2006235634.tif 000019